(57)【要約】【課題】コストを抑えるとともに大型化を回避しながら、操作ツマミの周囲を極力均一に光らせることができる加熱調理器を提供する。【解決手段】操作パネル６の裏側において操作ツマミ８ａの軸方向に対して略直交する方向に配置され、光を操作ツマミ８ａに向けて発する発光ダイオード２８と、この発光ダイオード２８と操作ツマミ８ａとの間に設けられ、発光ダイオード２８が発する光を操作ツマミ８ａの周囲に導いてそこを照明する導光板３１とを備えた。発光ダイオード２８から発せられ光は、導光板３１により導かれ操作ツマミ８ａの周囲に到達する。【選択図】図１
2008057830.tif 000002
【特許請求の範囲】
【請求項１】
操作パネルにこれを貫通するように設けられ、少なくとも軸を中心に回転操作または軸方向に押圧操作されることにより調理条件を設定する操作ツマミと、
前記操作パネルの裏側において前記操作ツマミの軸方向に対して略直交する方向に配置され、光を前記操作ツマミに向けて発する発光素子と、
この発光素子と前記操作ツマミとの間に設けられ、前記発光素子が発する光を前記操作ツマミの周囲に導いてそこを照明する導光板とを備え、
前記操作ツマミの周囲が、前記発光素子から発せられ前記導光板により導かれた光によって光るように構成されていることを特徴とする加熱調理器。
【請求項２】
前記操作パネルの前記操作ツマミを囲む部分には、前記導光板により導かれた光を前記操作パネルの前方に向けて透過させるリング状の透光部が設けられていることを特徴とする請求項１に記載の加熱調理器。
【請求項３】
前記発光素子を支えるホルダを備え、
このホルダには、
前記発光素子に対し前記操作ツマミ側とは反対側に位置させて形成され、前記発光素子の２本のリード端子を挿入可能な２個の切り欠き部と、
これら２個の切り欠き部間に形成され、前記発光素子の傾きを防止する壁とが設けられていることを特徴とする請求項１または２に記載の加熱調理器。
【請求項４】
前記発光素子のリード端子は、この発光素子が実装される配線基板の表面に対して略平行に当接する曲げ部を有するようにフォーミング加工されていることを特徴とする請求項１ないし３の何れかに記載の加熱調理器。
【請求項５】
前記発光素子を支えるホルダを備え、
前記導光板は、前記発光素子と前記操作ツマミとの間に位置させて前記ホルダに取り付けられ、前記ホルダにあって前記操作パネルに対向し且つ前記導光板に接する部分には、前記発光素子から前記操作ツマミに向かって前記操作パネルの前方側に突出するように傾斜する傾斜部が設けられていることを特徴とする請求項１に記載の加熱調理器。
【請求項６】
前記導光板の前記操作パネルとは反対側の面は、前記発光素子から導かれた光を拡散するシボ加工が施されていることを特徴とする請求項１ないし５の何れかに記載の加熱調理器。
【発明の詳細な説明】
【技術分野】
【０００１】
本発明は、操作ツマミの周囲を光らせるように構成した加熱調理器に関する。
【背景技術】
【０００２】
従来の加熱調理器では、調理メニューや加熱時間などの調理条件を設定する操作ツマミの周囲を光らせるように構成することが考えられている。この構成において、次に操作すべき操作ツマミの周囲を光らせることにより、ユーザが当該操作ツマミを視覚的に認識し易くなり、操作性の向上を図ることができる。
例えば、特許文献１に記載の加熱調理器は、操作ツマミの周囲に発光ダイオードが設けられていて、この発光ダイオードが発する光を、操作ツマミの周囲の透明部に導くことにより、操作ツマミの周囲を光らせるようになっている。
【特許文献１】特開２００４−１９８０７６号公報
【発明の開示】
【発明が解決しようとする課題】
【０００３】
上記構成の加熱調理器において、発光ダイオードは、操作ツマミの軸方向に対して平行な方向に配置され、光を操作パネルの前方に向けて発するようになっている。そのため、操作ツマミの周囲のうち発光ダイオードに近い部分（発光ダイオードに対向する部分）では、発光ダイオードから導かれる光量が多くなり強く光らせることができる。しかし、操作ツマミの周囲のうち発光ダイオードから離れた部分では、発光ダイオードから導かれる光量が少なくなり強く光らせることができない。従って、操作ツマミの周囲に光の強い部分と弱い部分ができてしまい、光ムラが生じるという問題がある。
【０００４】
また、上記構成の加熱調理器では、発光ダイオードが発する光を拡散させる部材が設けられている。しかし、特に近年では、加熱室などのスペースを確保するために操作部のコンパクト化が進められており、操作パネルと発光ダイオードとの間の距離が短くなる傾向にある。従って、発光ダイオードが発する光を拡散させるようにしたとしても、上記の光ムラを適切に抑えることはできない。
【０００５】
そこで、発光ダイオードの数を増やすことにより光の強弱を目立たせないようにする方法が考えられるが、この方法では、発光ダイオードの数を増やす分、コストが高くなるという問題がある。また、操作パネルと発光ダイオードとの間の距離を大きくしたとしても、光の強弱を目立ち難くすることはできるものの、操作部が大型化するという問題がある。また、デザイン上の制約から操作パネルと発光ダイオードとの間の距離を自由に変更することができないという実情もある。
【０００６】
本発明は、上記した事情に鑑みてなされたものであり、その目的は、コストを抑えるとともに大型化を回避しながら、操作ツマミの周囲を極力均一に光らせることができる加熱調理器を提供することにある。
【課題を解決するための手段】
【０００７】
請求項１に記載の加熱調理器は、操作パネルにこれを貫通するように設けられ、少なくとも軸を中心に回転操作または軸方向に押圧操作されることにより調理条件を設定する操作ツマミと、前記操作パネルの裏側において前記操作ツマミの軸方向に対して略直交する方向に配置され、光を前記操作ツマミに向けて発する発光素子と、この発光素子と前記操作ツマミとの間に設けられ、前記発光素子が発する光を前記操作ツマミの周囲に導いてそこを照明する導光板とを備え、前記操作ツマミの周囲が、前記発光素子から発せられ前記導光板により導かれた光によって光るように構成されていることに特徴を有する。
【発明の効果】
【０００８】
請求項１に記載の加熱調理器によれば、発光素子から発せられた光は、操作ツマミの軸方向に対して略直交する方向から入射し、導光板に導かれて操作ツマミの周囲に到達する。これにより、操作ツマミの周囲を光ムラを生じさせることなく極力均一に光らせることができる。また、発光素子の数を増やしたり、操作パネルと発光素子との間の距離を大きくする必要はなく、コストを抑えるとともに大型化を回避することができる。
【発明を実施するための最良の形態】
【０００９】
（第１の実施形態）
以下、本発明の第１の実施形態について図１ないし図５を参照して説明する。
図２に示すように、加熱調理器１の外郭を構成する矩形状のキャビネット２内には、前面が開口した矩形状の加熱室３が設けられていて、当該加熱室３内に調理物を収容可能となっている。キャビネット２の前面には、扉４が上下方向に回動可能に枢設されていて、加熱室３の開口を開閉するようになっている。この扉４の内面は、複数の孔を有する金属板（図示せず）で覆われており、窓部５を介して加熱室３の内部を視認できるようになっている。また、扉４の下部には、操作パネル６が設けられている。
【００１０】
この操作パネル６の略中央部には、２個の円形の開口部７ａ，７ｂが形成されている。そして、これらの開口部７ａ，７ｂには、回転操作や押圧操作されることにより調理メニューや加熱時間などの調理条件を設定する操作ツマミ８ａおよび操作ツマミ８ｂが設けられている。これらの操作ツマミ８ａおよび操作ツマミ８ｂの構成については後述する。操作ツマミ８ａおよび操作ツマミ８ｂは、設定する調理条件は異なるが構成としては同様となっているので、以下、操作ツマミ８ｂおよびその周辺の構成については括弧書きをして示す。
【００１１】
操作パネル６には、さらに、スタートキー９、取り消しキー１０および液晶ディスプレー１１が設けられている。スタートキー９は、当該スタートキー９の軸方向に押圧可能に構成されている。当該スタートキー９が押圧操作されると、制御装置（図示せず）によって加熱調理（図示しないマグネトロンによるマイクロ波調理やヒータによる熱風調理など）が開始されるようになっている。取り消しキー１０は、当該取り消しキー１０の軸方向に押圧可能に構成されている。当該取り消しキー１０が押圧操作されると、操作ツマミ８ａ（８ｂ）により設定された調理条件（調理メニューや加熱時間など）が取り消されるようになっている。液晶ディスプレー１１は、操作ツマミ８ａ（８ｂ）により設定された調理メニュー（加熱時間）や加熱温度などを表示する。
【００１２】
次に、操作ツマミ８ａ（８ｂ）およびその周辺の構成について図１を参照して説明する。操作パネル６の裏側には、上記した制御装置の配線基板１２が支持部材（図示せず）により固定されている。この配線基板１２には、操作ツマミ８ａ（８ｂ）の後部に対応する部位に位置させてタクトスイッチ１３が設けられており、そのタクトスイッチ１３の周囲にはロータリエンコーダ１４が設けられている。このロータリエンコーダ１４は、配線基板１２に固定された固定部１５と、この固定部１５に対して回転可能に設けられた回転部１６とから構成されている。
【００１３】
一方、操作ツマミ８ａ（８ｂ）は、上記の操作パネル６の開口部７ａ（７ｂ）にこれを貫通するように設けられている。この操作ツマミ８ａ（８ｂ）の裏側には配線基板１２側に突出する押圧部１７が設けられていて、この押圧部１７は、ロータリエンコーダ１４の回転部１６に挿入されている。操作ツマミ８ａ（８ｂ）が当該操作ツマミ８ａ（８ｂ）の軸方向（図１中矢印Ａ方向）に押圧操作されると、押圧部１７によってタクトスイッチ１３が押圧されるようになっている。また、操作ツマミ８ａ（８ｂ）の裏側の縁部には回転伝達ツメ１８が設けられていて、この回転伝達ツメ１８は、回転部１６の外周部に設けられた係合部１９に係合されている。操作ツマミ８ａ（８ｂ）が当該操作ツマミ８ａ（８ｂ）の軸を中心に回転操作（図２中矢印Ｂ１，Ｂ２方向に回転操作）されると、回転伝達ツメ１８を介してロータリエンコーダ１４の回転部１６が回転するようになっている。
【００１４】
操作ツマミ８ａ（８ｂ）の周囲（ロータリエンコーダ１４の周囲）には、白色の樹脂製のＬＥＤホルダ２０（ホルダに相当）が取り付けられている。このＬＥＤホルダ２０は、図３に示すように、円板部２１と、この円板部２１の縁部に形成された側壁部２２とから構成されている。円板部２１の中央部には、上記の操作ツマミ８ａ（８ｂ）よりも径大な開口部２３が設けられている。側壁部２２には、当該側壁部２２の外周から突出する４個のＬＥＤ支持部２４と、ＬＥＤホルダ２０を配線基板１２に固定するためのツメ２５が設けられている。
【００１５】
ＬＥＤ支持部２４は、側壁部２２の外周において等間隔に配置されており、その端部には、操作ツマミ８ａ（８ｂ）の軸方向に沿って切り欠かれた２個の切り欠き部２６ａ，２６ｂが設けられている。また、これら２個の切り欠き部２６ａ，２６ｂ間には、発光ダイオード２８（発光素子に相当）に対し上記操作ツマミ８ａ（８ｂ）とは反対側に位置する壁２７が操作ツマミ８ａ（８ｂ）の軸方向に沿って形成されている。
【００１６】
発光ダイオード２８は、当該発光ダイオード２８の２本のリード端子２９ａ，２９ｂが切り欠き部２６ａ，２６ｂに挿入された態様で、ＬＥＤ支持部２４に支持されている。つまり、発光ダイオード２８は、操作ツマミ８ａ（８ｂ）の軸方向に対して略直交する方向に配置されており、光を操作ツマミ８ａ（８ｂ）に向けて発するようになっている。また、上記の壁２７により、発光ダイオード２８がＬＥＤホルダ２０から浮き上がったり傾いたりしないようになっている。
【００１７】
発光ダイオード２８の２本のリード端子２９ａ，２９ｂは、図４に示すように、当該発光ダイオード２８が実装される配線基板１２の表面１２ａに対して略平行に当接する曲げ部３０ａ，３０ｂを有するようにフォーミング加工されている。そして、発光ダイオード２８は、配線基板１２の裏側に挿通された２本のリード端子２９ａ，２９ｂの端部がはんだ付けされることにより、配線基板１２に固定されている。
【００１８】
図１および図５に示すように、ＬＥＤホルダ２０の円板部２１の表面、つまり、発光ダイオード２８と操作ツマミ８ａ（８ｂ）との間には、導光板３１が設けられている。導光板３１は、例えば無色透明のアクリル樹脂やガラスなどからなり、略中央部に開口部３１ａを有するリング状の形状となっている。この導光板３１は、図１中矢印Ｃで示すように、発光ダイオード２８が発する光の大部分を操作ツマミ８ａ（８ｂ）の周囲に導いて、当該操作ツマミ８ａ（８ｂ）の周囲を照明するようになっている。なお、導光板３１の操作パネル６とは反対側の面３１ｂには、発光ダイオード２８から導かれた光を拡散するシボ加工が施されている。また、導光板３１は、図５に示すように、当該導光板３１の外周において対向する２箇所に形成された係合凸部３２が、ＬＥＤホルダ２０の側壁部２２の内周において対向する２箇所に形成された係合凹部３３に係合することにより固定されている。
【００１９】
操作パネル６の操作ツマミ８ａ（８ｂ）を囲む部分、つまり、開口部７ａ（７ｂ）には、有色（例えば赤色）の透明樹脂からなるリング状の透光部３４ａ（３４ｂ）が取り付けられている。この透光部３４ａ（３４ｂ）は、導光板３１により操作ツマミ８ａ（８ｂ）の周囲に導かれた光を、図１中矢印Ｄで示すように、操作パネル６の前方に向けて透過させるようになっている。
【００２０】
このような構成により、導光板３１および操作ツマミ８ａ（８ｂ）には、発光ダイオード２８が発する光の大部分が操作ツマミ８ａ（８ｂ）の軸方向に対して略直交する方向から入射するようになり、当該操作ツマミ８ａ（８ｂ）の周囲が、発光ダイオード２８から発せられ導光板３１により導かれた光によって光るように構成されている。
【００２１】
上記した制御装置は、操作ツマミ８ａが回動操作されると、当該操作ツマミ８ａ（ロータリエンコーダ１４の回転部１６）の回転量に応じて、液晶ディスプレー１１に「レンジ調理」、「トースター調理」、「オーブン調理」、「スチーム調理」などの調理メニューを順次表示する。そして、制御装置は、操作ツマミ８ａが押圧操作されると（タクトスイッチ１３が押圧されると）、その時点に液晶ディスプレー１１に表示されている調理メニューを、その後に実行する調理メニューとして設定するようになっている。
【００２２】
また、制御装置は、操作ツマミ８ｂが回動操作されると、当該操作ツマミ８ｂ（回転部１６）の回転量に応じて、液晶ディスプレー１１に表示される加熱時間を変更する。そして、制御装置は、操作ツマミ８ｂが押圧操作されると（タクトスイッチ１３が押圧されると）、その時点に液晶ディスプレー１１に表示されている加熱時間を、その後に実行する加熱時間として設定するようになっている。
【００２３】
次に、上記した構成の作用について説明する。
加熱調理器１の制御装置は、加熱室３内に収容された調理物の加熱調理の開始前において、調理メニューや加熱時間などの調理条件を設定する設定動作を実行する。この設定動作において、制御装置は、予め記憶された設定プログラムに従って、操作ツマミ８ａあるいは操作ツマミ８ｂに対応する発光ダイオード２８のうち、次に操作すべき操作ツマミに対応する発光ダイオード２８を光らせる。操作ツマミ８ａ（８ｂ）に対応する発光ダイオード２８から発せられた光の大部分は、導光板３１により操作ツマミ８ａ（８ｂ）の周囲に導かれ（図１中矢印Ｃ参照）、透光部３４ａ（３４ｂ）を介して操作パネル６の前方に向けて透過する（図１中矢印Ｄ参照）。これにより、制御装置は、次に操作すべき操作ツマミとして操作ツマミ８ａあるいは操作ツマミ８ｂの周囲を光らせる。
【００２４】
以上に説明したように本実施形態によれば、操作パネル６の裏側において操作ツマミ８ａ（８ｂ）の軸方向に対して略直交する方向に配置され、光を操作ツマミ８ａ（８ｂ）に向けて発する発光ダイオード２８と、この発光ダイオード２８と操作ツマミ８ａ（８ｂ）との間に設けられ、発光ダイオード２８が発する光を操作ツマミ８ａ（８ｂ）の周囲に導いてそこを照明する導光板３１とを備えた。そのため、発光ダイオード２８から発せられた光は、操作ツマミ８ａ（８ｂ）の軸方向に対して略直交する方向から入射し、導光板３１に導かれて操作ツマミ８ａ（８ｂ）の周囲に到達する。これにより、操作ツマミ８ａ（８ｂ）の周囲を光ムラを生じさせることなく極力均一に光らせることができる。また、発光ダイオード２８の数を増やしたり、操作パネル６と発光ダイオード２８との間の距離を大きくする必要はなく、コストを抑えるとともに大型化を回避することができる。
【００２５】
また、調理メニューや加熱時間などの調理条件の設定において、次に操作すべき操作ツマミ８ａ（８ｂ）の周囲を光らせることにより、ユーザが当該操作ツマミ８ａ（８ｂ）を視覚的に認識し易くなり、操作性の向上を図ることができる。
【００２６】
操作パネル６の操作ツマミ８ａ（８ｂ）を囲む部分に、導光板３１により導かれた光を操作パネル６の前方に向けて透過させるリング状の透光部３４ａ（３４ｂ）を設けた。従って、発光ダイオード２８から発せられた光は、導光板３１により導かれた後、操作ツマミ８ａ（８ｂ）の周囲の透光部３４ａ（３４ｂ）を介して操作パネル６の前方に向かって透過する。これにより、操作ツマミ８ａ（８ｂ）の周囲をより均一に光らせることができる。
【００２７】
また、透光部３４ａ（３４ｂ）を有色の透明樹脂で構成したので、操作ツマミ８ａ（８ｂ）の周囲を着色した状態で光らせることができ、透光部３４ａ（３４ｂ）を無色の透明樹脂で構成した場合に比べ、次に操作すべき操作ツマミ８ａ（８ｂ）をより認識し易くすることができる。この場合、導光板３１（４１）を有色透明の部材で設ける必要がないため、発光ダイオード２８から発せられた光が導光板３１（４１）において吸収されることはなく、操作ツマミ８ａ（８ｂ）の周囲に到達する光量が低下することはない。
【００２８】
発光ダイオード２８の２本のリード端子２９ａ，２９ｂを２個の切り欠き部２６ａ，２６ｂに挿入することにより、発光ダイオード２８の取り付けを容易に行うことができ、組立性を向上することができる。
また、これら２個の切り欠き部２６ａ，２６ｂ間に発光ダイオード２８の傾きを防止する壁２７を形成した。これにより、発光ダイオード２８が傾いて当該発光ダイオード２８が発する光の方向が操作ツマミ８ａ（８ｂ）から外れることを防止することができ、操作ツマミ８ａ（８ｂ）の周囲に到達する光量が低下することを回避することができる。
【００２９】
発光ダイオード２８のリード端子２９ａ，２９ｂを、この発光ダイオード２８が実装される配線基板１２の表面１２ａに対して略平行に当接する曲げ部３０ａ，３０ｂを有するようにフォーミング加工した。これにより、発光ダイオード２８の取り付けの際に、当該発光ダイオード２８が配線基板１２側にずれてしまうことを防止でき、組立性を向上することができる。
【００３０】
導光板３１の操作パネル６とは反対側の面３１ｂに、発光ダイオード２８から導かれた光を拡散するシボ加工を施したので、発光ダイオード２８から発せられた光は、導光板３１において拡散されながら操作ツマミ８ａ（８ｂ）の周囲に導かれる。これにより、操作ツマミ８ａ（８ｂ）の周囲をより均一に光らせることができる。
【００３１】
ＬＥＤホルダ２０を、白色の樹脂材料により形成したので、発光ダイオード２８から発せられた光が、ＬＥＤホルダ２０の表面、特に導光板３１（４１）に接している面において反射され易くなり、より効率良く光を操作ツマミ８ａ（８ｂ）の周囲に導くことができる。
発光ダイオード２８から発せられた光を効率良く光を操作ツマミ８ａ（８ｂ）の周囲に導くことができることから、発光ダイオード２８の数を少数で構成することができ、高価な発光ダイオードを使用したとしても、コストを抑えることができる。
【００３２】
（第２の実施形態）
次に、本発明の第２の実施形態について図６を参照して説明する。なお、上記した第１の実施形態に記載したものと同一の部分については説明を省略し、以下、異なる部分についてのみ説明する。
操作ツマミ８ａ（８ｂ）の周囲に取り付けられたＬＥＤホルダ２０にあって操作パネル６に対向し且つ導光板４１に接する部分には、発光ダイオード２８から操作ツマミ８ａ（８ｂ）に向かって操作パネル６の前方側（図６では上方側）に突出するように傾斜する傾斜部４２が設けられている。
【００３３】
導光板４１は、第１の実施形態の導光板３１と同様に、略中央部に開口部４１ａを有していて、発光ダイオード２８と操作ツマミ８ａ（８ｂ）との間に位置させてＬＥＤホルダ２０に取り付けられている。導光板４１の操作パネル６とは反対側の面４１ｂは、上記の傾斜部４２の傾斜に対応して、発光ダイオード２８から操作ツマミ８ａ（８ｂ）に向かって操作パネル６の前方側に陥没するように傾斜している。また、導光板４１の操作パネル６とは反対側の面４１ｂは、第１の実施形態に記載したものと同様に、発光ダイオード２８から導かれた光を拡散するシボ加工が施されている。
【００３４】
導光板４１は、図６中矢印Ｅで示すように、発光ダイオード２８から発せられた光の大部分を傾斜部４２の傾斜に沿わせながら操作ツマミ８ａ（８ｂ）の周囲に導いて、当該操作ツマミ８ａ（８ｂ）の周囲を照明するようになっている。そして、導光板４１により操作ツマミ８ａ（８ｂ）の周囲に導かれた光は、矢印Ｆで示すように、透光部３４ａ（３４ｂ）を介して操作パネル６の前方に向けて透過する。
【００３５】
以上に説明したように第２の実施形態によれば、導光板４１を、発光ダイオード２８と操作ツマミ８ａ（８ｂ）との間に位置させてＬＥＤホルダ２０に取り付け、ＬＥＤホルダ２０にあって操作パネル６に対向し且つ導光板４１に接する部分に、発光ダイオード２８から操作ツマミ８ａ（８ｂ）に向かって操作パネル６の前方側に突出するように傾斜する傾斜部４２を設けた。これにより、発光ダイオード２８から発せられた光を、傾斜部４２に沿わせながら操作パネル６の前方に向けて効率良く導くことができる。
【００３６】
（その他の実施形態）
なお、本発明は上記した各実施形態に限定されるものではなく、次のように変形または拡張することができる。
操作ツマミ８ａ（８ｂ）を、調理メニュー設定用（加熱時間設定用）の操作ツマミとして設けても良いし、例えば、加熱温度などの他の調理条件を設定する操作ツマミとして兼用するように構成しても良い。この場合、制御装置が設定プログラムに従って加熱温度の設定を行う時に、操作ツマミ８ａ（８ｂ）の周囲を光らせるように構成すれば良い。
【００３７】
透光部３４ａ（３４ｂ）を周方向に沿って複数の範囲に区分し、これらの区分した範囲に対応する複数の発光ダイオード２８を設ける構成としても良い。この構成によれば、操作ツマミ８ａ（８ｂ）の周囲を多様な組み合わせにより光らせることができる。
【図面の簡単な説明】
【００３８】
【図１】本発明の第１の実施形態を示すものであり、図２中、Ｘ−Ｘ線に沿って示す要部の横断面図
【図２】加熱調理器の正面図
【図３】発光ダイオードを支持した状態のＬＥＤホルダの外観を示す斜視図
【図４】発光ダイオードのリード端子の形状を説明するための図
【図５】導光板を取り付けた状態のＬＥＤホルダの平面図
【図６】本発明の第２の実施形態を示す図１相当図
【符号の説明】
【００３９】
図面中、１は加熱調理器、６は操作パネル、８ａ，８ｂは操作ツマミ、１２は配線基板、１２ａは表面、２０はＬＥＤホルダ（ホルダ）、２６ａ，２６ｂは切り欠き部、２７は壁、２８は発光ダイオード（発光素子）、２９ａ，２９ｂはリード端子、３０ａ，３０ｂは曲げ部、３１，４１は導光板、３１ｂ，４１ｂは導光板の操作パネルとは反対側の面、３４ａ，３４ｂは透光部、４２は傾斜部を示す。
【図１】
2008057830.tif 000003
【図２】
2008057830.tif 000004
【図３】
2008057830.tif 000005
【図４】
2008057830.tif 000006
【図５】
2008057830.tif 000007
【図６】
2008057830.tif 000008